(57)【特許請求の範囲】
【請求項１】
斜辺部材と水平部材とを開閉可能なるように基端部にて枢支し、且つ、該斜辺部材の先端部寄りに起立部材の下端部を枢支し、更に、該起立部材にはストッパーを挿通し得る止め孔を長手方向に沿い適宜間隔で複数個所形成し、所定の止め孔に挿通したストッパーにより前記水平部材を支持することにより該斜辺部材と該水平部材との開角度が調整されるようにすると共に、該斜辺部材の下面両端部に夫々蝶番を介して軸受片を取着し、夫々の該軸受片に傾斜屋根上に展開する一対の支脚を開閉可能に設けてなることを特徴とした傾斜屋根上への足場起立用台座。
【発明の詳細な説明】
【０００１】
【発明の属する技術分野】
本発明は、瓦屋根等の傾斜面に足場を組立てる際に、その下に敷かれる足場起立用台座に関するものである。
【０００２】
【従来の技術】
二階屋根等の建家では、新築時に限らず補修，改修等の目的で、瓦葺き等の大工仕事、更に、塗装，サッシ，板金，樋工事等で、一階部分の屋根または庇の上に足場を設ける必要性が発生している。
すなわち、瓦葺き等では、傾斜面に単に瓦を置いてしまうと滑り落ちる危険性があった。また、傾斜面にそのまま足を着地させながらの塗装作業，板金・樋工事等では、危険であり、且つ、塗装，板金・樋工事等の施工が難儀であった。加えて、二階屋根裏等の施工場所に手が届かない場合も多く、しっかりした足場が求められていた。
【０００３】
【発明が解決しようとする課題】
しかるに、平坦面への足場組立ては単純構造でよく、わく組み足場等の市販品もあり、比較的楽なのであるが、前記傾斜面に足場を組もうとすると、困難を極めた。そして、地上から二階の大屋根まで足場を地上から組み上げるとなると、足場スペースは膨らみ、その組立，解体，運搬等で、斯る箇所への足場代はいきおい高額になった。
パイプ足場の根元部に、高さ調整可能なジャッキベースを備えたものが従来からあるにはあったが、屋根等の傾斜面角度がきついものに対しては不安定となり、用をなさなかった。また、ジャッキベースの底面は小さく、瓦屋根等に使用されれば、瓦が集中荷重を受け、割れてしまう虞れがあった。
【０００４】
【発明が解決しようとする課題】
本発明は上記問題点を解決するもので、傾斜屋根上に置かれて、斯る箇所で足場板をたやすく水平に敷くことができ、更に、鉛直に立つ足場も安全且つ簡単に設けることのできる足場起立用台座を提供することを目的とする。
【０００５】
【課題を解決するための手段】
請求項１に記載の本発明の要旨は、斜辺部材と水平部材とを開閉可能なるように基端部にて枢支し、且つ、該斜辺部材の先端部寄りに起立部材の下端部を枢支し、更に、該起立部材にはストッパーを挿通し得る止め孔を長手方向に沿い適宜間隔で複数個所形成し、所定の止め孔に挿通したストッパーにより前記水平部材を支持することにより該斜辺部材と該水平部材との開角度が調整されるようにすると共に、該斜辺部材の下面両端部に夫々蝶番を介して軸受片を取着し、夫々の該軸受片に傾斜屋根上に展開する一対の支脚を開閉可能に設けてなることを特徴とした傾斜屋根上への足場起立用台座にある。
【０００７】
請求項１に記載の発明によれば、斜辺部材と水平部材との開角度を自由に調整できるので、どの屋根についても水平部材の水平だしが可能で、これに足場板を載せることで簡単に水平の足場が出来上る。そして、支脚が展開することで、足場起立用台座が自立するので、組立てに際し、いちいち手で支える必要がなく、組立て作業が楽になる。支脚の開脚が簡単で、また、収納スペースをより小さくできるようになる。
抜止用の鍔を形成すれば、安全性が高められる。請求項３に記載の発明のように、短パイプからなる突起が設けられると、水平だしが出来ているので、この突起にパイプ足場を接続するだけで、更に高い足場を設けることができる。支脚が少なくとも三枚以上の屋根瓦の上に跨るようにすると、支脚全体で受ける面積が広がっているので、足場起立用台座の使用時に瓦を破損させることはない。折り畳める構造にすると、持ち運び，収納に便利になる。
【０００９】
【発明の実施の形態】
以下、本発明に係る傾斜屋根上への足場起立用台座（以下、「足場起立用台座」という。）の実施形態について詳述する。
（１）実施形態１
図１〜図６は本発明の足場起立用台座の一形態で、図１は足場起立用台座の外観斜視図、図２は図１の平面図、図３は図１の足場起立用台座の使用状態を示す側面図、図４は図３のＡ−Ａ線断面図、図５は図１の足場起立用台座の折り畳み状態を示した斜視図、図６は足場起立用台座にパイプ足場をセットした斜視図である。
【００１０】
斜辺部材１は、長さ９０センチ程の横断面凵形金属製部材からなる。また、水平部材２は、チャンネル形金属製部材からなり、その開口側が下側となるように該水平部材２を斜辺部材１中に遊嵌される。そして、斜辺部材１の基端部と水平部材２の基端部とに共通の支軸３を貫挿することにより該斜辺部材１と水平部材２とを開閉可能なるように枢支している（図３）。上記支軸３の両外方突出端には太径部４，４が形成される。
符合５，５は、水平部材２の上面に溶接された一対の短パイプからなる突起を示す。この突起５，５は、例えば、４００ｍｍの間隔をあけて設けられ、市販のパイプ足場２０に挿着できるようにしている（図６）。
【００１１】
符合６は、前記水平部材２中に遊嵌し得る横断面角形の金属部材からなる起立部材で、該起立部材６の下端部を、斜辺部材１の先端部寄りに嵌挿した支軸７により枢支している。該起立部材６の両側面には、鉤状のストッパー８を挿通し得る止め孔９ａ〜９ｆが長手方向に沿い複数個所形成される。そして、水平部材２の先端部寄りの上面に角形の透孔１０が開設され、起立部材６を透孔１０に貫挿することにより、この透孔１０に挿通したストッパー８上に水平部材２を支持できるように構成している。ストッパー８で水平部材２を支持する構成は、図４のごとく、水平部材２の鍔部分２１，２１がストッパー８に当接し、水平部材２は安定した状態が保たれる。本実施形態では、ストッパー８は丸鋼をＬ字状に加工したものを用いている。
ところで、起立部材６が、斜辺部材１のほぼ中央ラインに沿って配され、支軸７を中心に回転し、透孔１０に素早く貫挿できるようにするために、また、収納を行ない易くするために、起立部材６の両サイド支軸７には金属カラー（図示せず）を嵌挿する。
【００１２】
符号１１は、水平部材２の一側に突設された抜止片を示す。抜止片１１は、鉤状の折曲片からなり、水平部材２がストッパー８上に支持されたとき、該ストッパー８の外側に垂下する。抜止片１１は、該ストッパー８の抜脱を防ぐためにある。
【００１３】
そして、斜辺部材１の両端部の下面には、夫々蝶番１２を介してコ字状の軸受片１３が取着され、更に、該各軸受片１３に支持された支軸１４により夫々一対の支脚１５，１５を開閉可能に設けている。符号１６は、支脚１５，１５の開側面に貼着されたスポンジゴム製のクッション材である。
【００１４】
しかして、この足場起立用台座は、斜辺部材１の両端部に配された支脚１５，１５を図１のごとく１８０度開くと、両支脚の長さが例えば６２０ｍｍ程度になり、支脚１５，１５のクッション材１６が隣合う少なくとも３枚の屋根瓦の上に跨がる構成である。
ここで、図示を省略するが、両支脚１５の支軸１４寄りの上面にはスペーサが固着され、支脚１５，１５が展開したとき、両支脚の水平状態が確保されるようになっている。四つの支脚１５を開いて、支軸３にロープ１７を引っ掛け、ロープ１７を二階のベランダ等に結び付ければ、更に安全にして該足場起立用台座を屋根１８上に係止することができるようになる。このとき、太径部４，４はロープ１７の抜け止めとして機能する。
尚、太径部４に代え、水平部材２の端部開放口を利用して、支軸３にロープを直接巻いて、該ロープ先端をベランダ等に結びつけることも可能である。
【００１５】
そうして、屋根１８の傾斜角度αに合わせて、図３のごとく、止め孔９ａ〜９ｆの内の１つの止め孔を選択してストッパー８を挿通し、該ストッパー８の突出部分に水平部材２を掛止支持させることで、水平部材２が水平に保持される。屋根の流れ勾配は、日本瓦屋根，一般木造等により何種類か定められているが、これら各種屋根勾配に対応して前記止め孔９ａ〜９ｆが設けられている。従って、傾斜屋根面に斜辺部材１を置いて、所定の止め孔にストッパー８を挿入すれば、水平部材２を必ず水平配置し得るようになっている。
尚、図１，図２は止め孔９ｂにストッパー８を挿着するが、図３，図４では止め孔９ａにストッパー８を挿着した態様になっている。
【００１６】
傾斜屋根上への足場の組み立てにあたっては、簡単なものでは、足場起立用台座を屋根１８の上に複数個並設し、その水平部材２の上に足場板１９を渡すだけで水平の安定した足場が出来上がる（図３）。このとき、突起５，５が足場板１９の横ずれを防ぐ。
一方、該突起５，５中にパイプ足場２０の下端部を挿入し、図６のようにパイプ足場２０全体を鉛直に支持させることができる。故に、足場起立用台座を土台にして傾斜屋根上に更に高い足場も構築できる。
そして、ロープ１７を吊持することによって、足場起立用台座は屋根上に確実にして且つ安定した足場を完成させる。
【００１７】
また、この足場起立用台座は、不使用時においては、図５に示すごとくコンパクトに折り畳み得る構造である。すなわち、図１の状態から、支脚１５，１５を閉じ、軸受片１３を蝶番１２により９０度内向に転回することにより斜辺部材１の下側に該支脚１５，１５を平行に畳むと共に、水平部材２を持ち上げて透孔１０から起立部材６を抜いてストッパー８を抜き取り、起立部材６を斜辺部材１中に倒した後、水平部材２をさらにその上から該斜辺部材１中に倒すことができる。そうして、該斜辺部材１中に水平部材２，起立部材６が収められ、支脚１５，１５と共にこれらの主要部材が平行に束ね得る構造である。故に、嵩張らず持ち運び，収納に便利なコンパクトな形態になっている。
【００１８】
このように構成した足場起立用台座は、起立部材６に複数の止め孔９ａ〜９ｆが形成され、屋根１８の傾斜角度に合わせて該止め孔９ａ〜９ｆの内の１つの止め孔を適宜選択してストッパー８を挿通することで、水平部材２を常に水平に保持することができる。止め孔９ａ〜９ｆの開設の間隔を規格化された屋根勾配に合わせて設定しておくことで、その角度調節をさらに容易にできる。
施工業者は、一組の足場起立用台座を所持するだけで、あらゆる屋根の流れ勾配をもつ家屋の工事が可能になる。また、市販のパイプ足場２０も、突起５に差し込んで取着すれば、簡単に使える。
更に、支脚１５，１５が１８０度開いてクッション材１６が少なくとも３枚の屋根瓦の上に跨るようにしたことにより、荷重が分散され屋根瓦の割れを防ぐことができる。
加えて、水平部材２の一側に突設した抜止片１１は、該水平部材２がストッパー８上に支持されると、該ストッパー８の外側に自動的に垂下するので、使用時には、ストッパー８の抜脱する虞れがなく、安全性確保が十分になされている。
そして、工具類を使用することなく、簡単に手ばやく組み立てられるので、好都合である。特に、軽量にして、支脚１５を広げれば、足場起立用台座が傾斜屋根上に自立するので、これを支えながら足場板１９等を固定する必要もなく、一人作業が可能になり、足場の組み立てを一層行ない易くする。
【００１９】
（２）実施形態２
本実施形態では、ストッパー８周りの構成を図７のごとくにしたものである。ストッパー８は、一端部寄りに円板形した抜止用の鍔８１が設けられ、更に、先端部分に紛失防止用ロープが通る孔８２が形成されている。孔８２に代え、紛失防止用ロープを係止できるピンを設けてもよい。ストッパー８を所定の止め孔９ａ〜９ｆに挿入後、起立部材６が透孔１０を通るようにして、水平部材２を降すと、水平部材２の鍔部分２１と起立部材６が自動的に抜止用の鍔８１を挟着し、ストッパー８が起立部材６から抜け落ちない構造になっている。
このように構成した足場起立用台座は、実施形態１に比し、抜止片１１がなくなることで部品点数が減り、更に、使用時，収納時において抜止片１１の出っ張りがないために、服等を引っ掛ける虞れもなく一層好ましくなっている。
他の構成，作用，効果は実施形態１と同様である。
【００２０】
尚、本発明においては前記実施例に示すものに限られず、目的，用途に応じて本発明の範囲で種々変更できる。斜辺部材１，水平部材２，突起５，起立部材６，ストッパー８，抜止片１１等の形状，大きさ等は適宜選択できる。止め孔９ａ〜９ｆの個数は用途に応じ増減できる。
【００２１】
【発明の効果】
以上のごとく、本発明の傾斜屋根上への足場起立用台座を使用すれば、屋根等の傾斜面にあっても足場を簡単且つ手ばやく組み立てることができるので、傾斜面への足場の組立作業に有意義で、更に、不使用時は折り畳みによりコンパクトにできるなど保管スペースが小さく、極めて優れた効果を発揮する。
【図面の簡単な説明】
【図１】実施形態１に係る傾斜屋根上への足場起立用台座の外観斜視図である。
【図２】図１の足場起立用台座の平面図である。
【図３】図１の足場起立用台座の使用状態を示す側面図である。
【図４】図３の足場起立用台座のＡ−Ａ線断面図である。
【図５】図１の足場起立用台座の折り畳み状態を示した斜視図である。
【図６】足場起立用台座にパイプ足場をセットした斜視図である。
【図７】実施形態２に係る傾斜屋根上への足場起立用台座で、実施形態１の図４に対応する断面図である。
【符号の説明】
１            斜辺部材
２          水平部材
５                突起
６          起立部材
７            支軸
８          ストッパー
９ａ〜９ｆ  止め孔
１２        蝶番
１３        軸受片
１４        支軸
１５        支脚
１８        屋根
８１        抜止用の鍔
【図１】
0003621763.tif 000002
【図２】
0003621763.tif 000003
【図３】
0003621763.tif 000004
【図４】
0003621763.tif 000005
【図５】
0003621763.tif 000006
【図６】
0003621763.tif 000007
【図７】
0003621763.tif 000008